(57)【要約】【課題】用紙のうちの一部が切り取られた残りの部分を印刷に利用する場合の不具合を抑制する。【解決手段】第１画像が印刷された対象媒体が搬送機構によって排出された後に、対象媒体のうちの第１画像が印刷された部分が切り取られた残りの部分である残余媒体を用いて、第２画像を印刷する。残余媒体の特定の搬送方向に関する長さは、対象媒体の特定の搬送方向に関する長さよりも短い。ここで、特定の搬送方向の残余媒体の上流側の端と第２画像の上流側の端との距離が、特定の搬送方向の残余媒体の下流側の端と第２画像の下流側の端との距離よりも短くなる位置に、第２画像が印刷される。【選択図】  図１
2018085012.tif 000002
【特許請求の範囲】
【請求項１】
被記録媒体に画像を印刷する印刷機構と、前記被記録媒体を特定の搬送方向に搬送させる搬送機構と、を有する印刷装置に画像を印刷させるための画像処理装置であって、
第１画像を表す第１画像データを取得する第１取得部と、
前記第１画像データに従って対象の被記録媒体である対象媒体に前記第１画像を前記印刷装置に印刷させる第１印刷制御部と、
第２画像を表す第２画像データを取得する第２取得部と、
前記第１画像が印刷された前記対象媒体が前記搬送機構によって排出された後に、前記対象媒体のうちの前記第１画像が印刷された部分が切り取られた残りの部分である残余媒体であって、前記特定の搬送方向に関する長さが前記対象媒体の前記特定の搬送方向に関する長さよりも短い前記残余媒体が、前記搬送機構によって前記印刷機構に供給される場合に、前記残余媒体に前記第２画像を印刷する際の基準となる印刷基準位置を特定するための基準位置情報を取得する位置情報取得部と、
前記基準位置情報を用いて、前記第２画像データに従って前記残余媒体に前記第２画像を前記印刷装置に印刷させる第２印刷制御部と、
を備え、
前記第２印刷制御部は、前記特定の搬送方向の前記残余媒体の上流側の端と前記第２画像の前記上流側の端との距離が、前記特定の搬送方向の前記残余媒体の前記下流側の端と前記第２画像の前記下流側の端との距離よりも短くなる位置に、前記第２画像を印刷させる、
画像処理装置。
【請求項２】
請求項１に記載の画像処理装置であって、
情報を格納するための記憶装置と、
前記第１画像のサイズに関連する情報を前記基準位置情報として前記記憶装置に格納する位置情報格納部と、
を備え、
前記第２印刷制御部は、前記第２画像を前記印刷装置に印刷させる際に、前記基準位置情報を用いて、前記残余媒体上の前記第２画像の位置を決定する、
画像処理装置。
【請求項３】
請求項１または２に記載の画像処理装置であって、
前記第１印刷制御部は、特定の場合に、さらに、前記残余媒体を前記搬送機構に供給する場合の向きを示す向き画像と、前記対象媒体のうちの前記第１画像が印刷された部分を切り取るための切り取り線と、の少なくとも一方を含む補助画像を、前記印刷装置に印刷させる、
画像処理装置。
【請求項４】
請求項３に記載の画像処理装置であって、
前記第１印刷制御部は、前記補助画像を、前記第１画像よりも、前記対象媒体の前記特定の搬送方向の上流側の端と下流側の端とのうちの前記第１画像から遠い方の端側に、前記印刷装置に印刷させる、
画像処理装置。
【請求項５】
請求項３または４に記載の画像処理装置であって、
前記補助画像は、前記残余媒体の前記特定の搬送方向の下流側が前記対象媒体の下流側と同じとなる向きを示す向き画像を含む、
画像処理装置。
【請求項６】
請求項３から５のいずれかに記載の画像処理装置であって、
前記第１印刷制御部は、
前記対象媒体に前記第１画像が印刷される場合の前記対象媒体の前記特定の搬送方向の上流側の端と下流側の端とのうちの前記第１画像から遠い方の端側の余白部分の長さが閾値よりも大きい場合に、前記補助画像を前記印刷装置に印刷させ、
前記余白部分の長さが前記閾値よりも小さい場合に、前記補助画像を前記印刷装置に印刷させない、
画像処理装置。
【請求項７】
請求項３から６のいずれかに記載の画像処理装置であって、
前記補助画像は、前記切り取り線を含む、
画像処理装置。
【請求項８】
被記録媒体に画像を印刷する印刷機構と、前記被記録媒体を特定の搬送方向に搬送させる搬送機構と、を有する印刷装置に画像を印刷させる画像処理のためのコンピュータプログラムであって、
第１画像を表す第１画像データを取得する第１取得機能と、
前記第１画像データに従って対象の被記録媒体である対象媒体に前記第１画像を前記印刷装置に印刷させる第１印刷制御機能と、
第２画像を表す第２画像データを取得する第２取得機能と、
前記第１画像が印刷された前記対象媒体が前記搬送機構によって排出された後に、前記対象媒体のうちの前記第１画像が印刷された部分が切り取られた残りの部分である残余媒体であって、前記特定の搬送方向に関する長さが前記対象媒体の前記特定の搬送方向に関する長さよりも短い前記残余媒体が、前記搬送機構によって前記印刷機構に供給される場合に、前記残余媒体に前記第２画像を印刷する際の基準となる印刷基準位置を特定するための基準位置情報を取得する位置情報取得機能と、
前記基準位置情報を用いて、前記第２画像データに従って前記残余媒体に前記第２画像を前記印刷装置に印刷させる第２印刷制御機能と、
をコンピュータに実現させ、
前記第２印刷制御機能は、前記特定の搬送方向の前記残余媒体の上流側の端と前記第２画像の前記上流側の端との距離が、前記特定の搬送方向の前記残余媒体の前記下流側の端と前記第２画像の前記下流側の端との距離よりも短くなる位置に、前記第２画像を印刷させる、
コンピュータプログラム。
【発明の詳細な説明】
【技術分野】
【０００１】
本明細書は、画像が印刷された被記録媒体の余白を、別の画像の印刷に再利用する技術に関する。
【背景技術】
【０００２】
従来から、プリンタを用いて画像が印刷されている。また、同じ画像が複数回に亘って印刷される場合がある。ここで、１枚の用紙に１つの画像を印刷する場合の空白量が多い場合に、１枚の用紙に複数の画像を印刷する技術が提案されている。
【先行技術文献】
【特許文献】
【０００３】
【特許文献１】特開２００２−７０８７号公報
【発明の概要】
【発明が解決しようとする課題】
【０００４】
用紙を節約するために、画像が用紙に印刷された後に、用紙のうちの画像が印刷された部分が切り取られ、残りの余白部分が別の印刷に利用される場合がある。余白部分を印刷に利用する場合に、不具合が生じ得る。例えば、用紙のユーザによって切断された端部は、凹凸状の部分を含み得る。このような凹凸状の端部から印刷装置に用紙が供給されると、印刷装置内での用紙の位置ズレや紙詰まりなどの不具合が生じ得る。
【０００５】
本明細書は、用紙のうちの一部が切り取られた残りの部分を印刷に利用する場合の不具合を抑制できる技術を開示する。
【課題を解決するための手段】
【０００６】
本明細書は、例えば、以下の適用例を開示する。
【０００７】
［適用例１］被記録媒体に画像を印刷する印刷機構と、前記被記録媒体を特定の搬送方向に搬送させる搬送機構と、を有する印刷装置に画像を印刷させるための画像処理装置であって、第１画像を表す第１画像データを取得する第１取得部と、前記第１画像データに従って対象の被記録媒体である対象媒体に前記第１画像を前記印刷装置に印刷させる第１印刷制御部と、第２画像を表す第２画像データを取得する第２取得部と、前記第１画像が印刷された前記対象媒体が前記搬送機構によって排出された後に、前記対象媒体のうちの前記第１画像が印刷された部分が切り取られた残りの部分である残余媒体であって、前記特定の搬送方向に関する長さが前記対象媒体の前記特定の搬送方向に関する長さよりも短い前記残余媒体が、前記搬送機構によって前記印刷機構に供給される場合に、前記残余媒体に前記第２画像を印刷する際の基準となる印刷基準位置を特定するための基準位置情報を取得する位置情報取得部と、前記基準位置情報を用いて、前記第２画像データに従って前記残余媒体に前記第２画像を前記印刷装置に印刷させる第２印刷制御部と、を備え、前記第２印刷制御部は、前記特定の搬送方向の前記残余媒体の上流側の端と前記第２画像の前記上流側の端との距離が、前記特定の搬送方向の前記残余媒体の前記下流側の端と前記第２画像の前記下流側の端との距離よりも短くなる位置に、前記第２画像を印刷させる、画像処理装置。
【０００８】
この構成によれば、残余媒体を搬送機構に供給する際に残余媒体（第１残余媒体とも呼ぶ）の端部のうち切り取られた端部とは異なる端部（すなわち、未切断の端部）を下流側に向けることによって、不具合を抑制できる。さらに、第２画像が、残余媒体の上流側の端と第２画像の上流側の端との距離が残余媒体の下流側の端と第２画像の下流側の端との距離よりも短くなる位置に印刷されるので、残余媒体の下流側（すなわち、未切断の端部側）の部分に余白が残る。従って、残余媒体から第２画像が印刷された部分を切り取る場合に、未切断の端部を含む余白部分である第２残余媒体を得ることができる。この第２残余媒体を更に印刷のために搬送機構に供給する際に、第２残余媒体の端部のうち未切断の端部を下流側に向けることによって、第２残余媒体を印刷に利用する際に、不具合を抑制できる。
【０００９】
なお、本明細書に開示の技術は、種々の態様で実現することが可能であり、例えば、画像処理方法および画像処理装置、それらの方法または装置の機能を実現するためのコンピュータプログラム、そのコンピュータプログラムを記録した被記録媒体（例えば、一時的ではない被記録媒体）、等の形態で実現することができる。
【図面の簡単な説明】
【００１０】
【図１】一実施例としての画像処理システムを示す説明図である。
【図２】印刷処理の例を示すフローチャートである。
【図３】印刷される画像の例を示す概略図である。
【図４】画像範囲を特定する処理の例を示すフローチャートである。
【図５】補助画像処理の例を示すフローチャートである。
【発明を実施するための形態】
【００１１】
Ａ．第１実施例：
図１は、一実施例としての画像処理システムを示す説明図である。この画像処理システムは、画像処理装置１００と、プリンタ４００と、を含んでいる。画像処理装置１００とプリンタ４００とは、ネットワークＮＴに接続されており、互いに通信可能である。
【００１２】
画像処理装置１００は、例えば、パーソナルコンピュータである（例えば、デスクトップコンピュータ、タブレットコンピュータ）。画像処理装置１００は、プロセッサ１１０と、揮発性記憶装置１２０と、不揮発性記憶装置１３０と、画像を表示する表示部１４０と、ユーザによる操作を受け入れる操作部１５０と、インタフェース１９０と、を有している。これらの要素は、バスを介して互いに接続されている。
【００１３】
プロセッサ１１０は、データ処理を行う装置であり、例えば、ＣＰＵである。揮発性記憶装置１２０は、例えば、ＤＲＡＭであり、不揮発性記憶装置１３０は、例えば、フラッシュメモリである。不揮発性記憶装置１３０は、プログラム１３２を格納している。また、後述するように、不揮発性記憶装置１３０は、基準位置情報１３４を格納する場合がある。プロセッサ１１０は、プログラム１３２を実行することによって、プリンタ４００に画像を印刷させる処理を実行する（詳細は後述）。プログラム１３２は、例えば、プリンタドライバであってよい。プロセッサ１１０は、プログラム１３２の実行に利用される種々の中間データを、記憶装置（例えば、揮発性記憶装置１２０、不揮発性記憶装置１３０のいずれか）に、一時的に格納する。プログラム１３２は、例えば、プリンタ４００の製造者によって提供される。
【００１４】
表示部１４０は、画像を表示する装置であり、例えば、液晶ディスプレイである。操作部１５０は、ユーザによる操作を受け取る装置であり、例えば、表示部１４０上に重ねて配置されたタッチパネルである。ユーザは、操作部１５０を操作することによって、種々の指示を画像処理装置１００に入力可能である。
【００１５】
インタフェース１９０は、他の装置と通信するためのインタフェースである（例えば、ＵＳＢインタフェース、有線ＬＡＮインタフェース、IEEE802.11の無線インタフェース）。本実施例では、インタフェース１９０は、有線または無線のネットワークインタフェースであり、ネットワークＮＴに接続されている。
【００１６】
プリンタ４００は、所定の方式（例えば、レーザ方式や、インクジェット方式）で、用紙（印刷媒体の一例）上に画像を印刷する装置である。本実施例では、プリンタ４００は、シアンＣ、マゼンタＭ、イエロＹ、ブラックＫの４種類のインクを用いてカラー画像を印刷可能なインクジェット方式の印刷装置である。
【００１７】
プリンタ４００は、用紙ＰＰ（被記録媒体の例）に画像を印刷する印刷機構４１０と、用紙ＰＰを搬送方向Ｄ１に搬送させる搬送機構４２０と、印刷機構４１０と搬送機構４２０とを制御する制御部４３０と、を有している。
【００１８】
印刷機構４１０は、用紙ＰＰ上に画像を印刷する装置である。本実施例では、印刷機構４１０は、印刷ヘッド４１２と、走査機構４１４と、を有している。印刷ヘッド４１２は、色材（ここでは、インク滴）を吐出して用紙ＰＰ上にドットを形成するための図示しない複数のノズルを有している。走査機構４１４は、印刷ヘッド４１２を所定の走査方向に移動させる装置である。
【００１９】
搬送機構４２０は、用紙ＰＰを走査方向と交差する所定の搬送方向Ｄ１に搬送する装置である。本実施例では、搬送機構４２０は、印刷用の用紙を載せ置くための給紙トレイ４２１と、給紙トレイ４２１に載せ置かれた用紙ＰＰを印刷機構４１０に向けて送り出す給紙ローラ４２４と、印刷ヘッド４１２に対向する位置に配置されたプラテン４２２と、プラテン４２２上に配置された用紙ＰＰを支持するローラ４２５、４２６と、印刷機構４１０から排出された用紙ＰＰが載せ置かれる排紙トレイ４２３と、を有している。ローラ４２５は、プラテン４２２上の印刷ヘッド４１２よりも上流側（すなわち、搬送方向Ｄ１の反対方向側）に配置され、ローラ４２６は、プラテン４２２上の印刷ヘッド４１２よりも下流側（すなわち、搬送方向Ｄ１側）に配置されている。搬送機構４２０は、用紙ＰＰを、給紙トレイ４２１から、印刷ヘッド４１２とプラテン４２２との間を通って、排紙トレイ４２３へ至る搬送経路に沿って、用紙ＰＰを搬送する。各ローラ４２４、４２５、４２６には、図示しないモータが連結されている。各ローラ４２４、４２５、４２６は、モータからの動力を用いて、用紙ＰＰに搬送方向Ｄ１の力を印加する。
【００２０】
制御部４３０は、例えば、印刷機構４１０と搬送機構４２０とを制御するための専用の電気回路（例えば、ASIC（Application Specific Integrated Circuit））と、ネットワークＮＴを介した通信のための通信装置と、を有している。
【００２１】
図２は、印刷処理の例を示すフローチャートである。本実施例では、画像処理装置１００（図１）のプロセッサ１１０は、プリンタドライバとして、印刷処理を実行する。この印刷処理は、例えば、画像処理装置１００上で動作する文書作成プログラムや画像作成プログラムなどのアプリケーションプログラムに対してユーザが印刷指示を入力して、そのアプリケーションプログラムから、プリンタドライバが呼び出された場合に実行される。
【００２２】
Ｓ１００では、プロセッサ１１０は、印刷処理の対象の画像データである入力画像データを特定し、特定した入力画像データを取得する。本実施例では、プロセッサ１１０は、プリンタドライバを呼び出したアプリケーションプログラムによって提供される画像データを、入力画像データとして取得する。本実施例では、入力画像データのデータ形式は、ＲＧＢ色空間で表されたビットマップ形式である。以下、ＲＧＢの各色成分は、ゼロから２５５までの２５６階調で表されることとする。
【００２３】
図３は、印刷される画像の例を示す概略図である。図３（Ａ）は、入力画像データによって表される入力画像の例である第１入力画像ｉ１を示している。第１入力画像ｉ１は、白い背景ＢＧ１とオブジェクトＯ１を表している。図中の搬送方向Ｄ１は、仮に第１入力画像ｉ１がそのまま印刷される場合の、印刷される第１入力画像ｉ１に対する搬送方向Ｄ１を示している。方向Ｄ２は、搬送方向Ｄ１に垂直な方向である（垂直方向Ｄ２とも呼ぶ）。本実施例では、印刷ヘッド４１２（図１）の走査方向は、垂直方向Ｄ２に平行である。図示するように、本実施例では、入力画像の形状は、方向Ｄ１に平行な２辺と方向Ｄ２に平行な２辺とによって囲まれる矩形状である。入力画像データは、方向Ｄ１、Ｄ２に沿って格子状に配置された複数の画素（図示せず）のそれぞれの階調値（ここでは、ＲＧＢの階調値）を表している。入力画像は、これらの複数の画素によって、表されている。
【００２４】
図２のＳ１１０では、プロセッサ１１０は、入力画像データによって表される入力画像中の、背景以外の部分、すなわち、印刷対象の画像である対象画像（具体的にはオブジェクト）の搬送方向Ｄ１の範囲である画像範囲を特定する。図４は、画像範囲を特定する処理の例を示すフローチャートである。Ｓ２００では、プロセッサ１１０は、入力画像を表す複数の画素のそれぞれの階調値を、垂直方向Ｄ２に沿って積算する。すなわち、垂直方向Ｄ２に並ぶ複数の画素で構成される画素ライン毎に、複数の画素のそれぞれの階調値が積算される。本実施例では、プロセッサ１１０は、ＲＧＢの３色成分の３つの階調値の合計値を積算して、１つの画素ラインから１つの積算値を算出する。算出される積算値は、入力画像中のオブジェクト（例えば、図３（Ａ）のオブジェクトＯ１）を表す画素ラインでは、小さくなり、オブジェクトを表さずに背景（例えば、図３（Ａ）の背景ＢＧ１）を表す画素ラインでは、大きくなる。
【００２５】
図３（Ａ）の第１入力画像ｉ１の右側には、第１入力画像ｉ１上の搬送方向Ｄ１の位置Ｐｘと積算値Ｖとの関係の例を示すグラフが示されている。横軸は、積算値Ｖを示し、縦軸は、搬送方向Ｄ１の位置Ｐｘを示している。図示するように、オブジェクトＯ１を表さずに背景ＢＧ１を表す位置Ｐｘでは、積算値Ｖは、積算値Ｖの取り得る最大値Ｖｗ、または、最大値Ｖｗに近い大きい値である（ここでは、Ｖｗ＝２５５＋２５５＋２５５＝７６５）。一方、オブジェクトＯ１を表す位置Ｐｘでは、積算値Ｖは、最大値Ｖｗと比べて小さい値である。
【００２６】
図４のＳ２１０では、プロセッサ１１０は、積算値Ｖが閾値Ｖｔｈ以下の搬送方向Ｄ１の位置Ｐｘを特定する。閾値Ｖｔｈは、オブジェクトを表す画素ラインと、オブジェクトを表さずに背景を表す画素ラインと、を区別できるように、予め決められている。閾値Ｖｔｈは、ゼロよりも大きく最大値Ｖｗ以下の値であり、例えば、最大値Ｖｗに近い値に設定される。積算値Ｖが閾値Ｖｔｈ以下である位置Ｐｘの画素ラインは、オブジェクトを表す画素ラインとして扱われ、積算値Ｖが閾値Ｖｔｈよりも大きい位置Ｐｘの画素ラインは、オブジェクトを表さずに背景を表す画素ラインとして扱われる。
【００２７】
Ｓ２２０では、プロセッサ１１０は、積算値Ｖが閾値Ｖｔｈ以下である位置Ｐｘのうち、最も下流側の位置である最下流位置と、最も上流側の位置である最上流位置とを、特定する。最下流位置から最上流位置までの範囲が、印刷すべき対象画像の画像範囲である。ここで、下流側は、搬送方向Ｄ１側を示し、上流側は、搬送方向Ｄ１とは反対の方向側を示している。図３（Ａ）の例では、最下流位置ｐｄ１と最上流位置ｐｕ１とが特定されている。最下流位置ｐｄ１は、オブジェクトＯ１の下流側の端の位置であり、最上流位置ｐｕ１は、オブジェクトＯ１の上流側の端の位置である。最下流位置ｐｄ１から最上流位置ｐｕ１までの範囲Ｒ１が、画像範囲である。そして、画像範囲Ｒ１内の画像（ここでは、オブジェクトＯ１）が、背景以外の部分である対象画像である。以下、画像範囲の最下流位置と最上流位置の符号（例えば、「ｐｄ１」、「ｐｕ１」）を、対象画像の端を示す符号としても、用いる。
【００２８】
図２のＳ１２０では、プロセッサ１１０は、基準位置情報１３４（図１）を取得する。後述するように、基準位置情報１３４は、用紙のうちの画像が印刷された部分が切り取られた残りの部分（残余部分用紙とも呼ぶ）に別の画像を印刷する場合の印刷基準位置を決定するための情報である。搬送機構４２０から排出された印刷済の用紙から他の画像の印刷に利用可能な残余部分用紙を取得できない場合（例えば、用紙の全体に画像が印刷され、余白が残らない場合）、基準位置情報１３４は、不揮発性記憶装置１３０から削除される。以下、基準位置情報１３４が格納されていない場合の処理について説明し、次に、基準位置情報１３４が格納されている場合の処理について説明する。
【００２９】
Ｓ１３０では、プロセッサ１１０は、印刷可能範囲の搬送方向Ｄ１の長さが、画像範囲の搬送方向Ｄ１の長さよりも大きいか否かを判断する。印刷可能範囲は、用紙上の画像を印刷可能な範囲である。図３（Ｂ）には、新しい用紙ＰＰに画像を印刷する場合の印刷可能範囲ｐが示されている。印刷可能範囲ｐは、用紙ＰＰの形状とおおよそ同じ矩形状の領域である。いわゆる縁無し印刷が行われる場合、印刷可能範囲ｐは、用紙ＰＰの縁まで拡がっており、印刷可能範囲ｐの形状は、用紙ＰＰの形状と同じである。一方、いわゆる縁有り印刷が行われる場合、印刷可能範囲ｐの縁は、用紙ＰＰの縁よりも内側に位置する。この場合、用紙ＰＰに対する印刷可能範囲ｐの位置（例えば、印刷可能範囲ｐの縁を構成する４個の辺の位置）は、予め決められている。プリンタ４００は、縁無し印刷と縁有り印刷とのいずれを実行してもよい。以下、縁有り印刷が行われることとして、説明する。
【００３０】
不揮発性記憶装置１３０に基準位置情報１３４が格納されていない場合には、プロセッサ１１０は、印刷可能範囲として、欠けた部分の無い用紙ＰＰ（すなわち、切断されていない用紙ＰＰ）に画像を印刷する場合の印刷可能範囲ｐ（図３（Ｂ））を採用する。後述するように、用紙ＰＰの一部分が切り取られた残りの部分である残余部分用紙が印刷に用いられる場合、印刷可能範囲は、図３（Ｂ）の印刷可能範囲ｐよりも小さくなる。
【００３１】
図３（Ｂ）中の長さＳＺｐは、印刷可能範囲ｐの搬送方向Ｄ１の長さである。図３（Ａ）中の長さＯＨ１は、画像範囲Ｒ１の搬送方向Ｄ１の長さである。図２のＳ１３０では、これらの長さＳＺｐ、ＯＨ１が、比較される。比較のために、同じ単位で表される長さＳＺｐ、ＯＨ１が用いられる（例えば、ｍｍや、印刷画素の数など）。本実施例では、長さＳＺｐ、ＯＨ１は、印刷画素の数で表されることとする。印刷画素は、ドットの有無やドットのサイズなどのドットの状態を表す最小単位の画素である。後述するハーフトーン処理では、印刷画素毎に、ドットの状態が決定される。印刷可能範囲ｐ内の印刷画素の画素密度は、予め決められている（印刷画素の画素密度は、印刷解像度とも呼ばれる）。従って、プロセッサ１１０は、印刷画素の画素密度を用いて、印刷可能範囲ｐの長さＳＺｐを特定できる。
【００３２】
また、入力画像データの画素密度は、入力画像をサイズ調整せずに用紙に印刷する場合の入力画像を表す複数の印刷画素の画素密度と異なり得る。プロセッサ１１０は、第１入力画像ｉ１（図３（Ａ））の最下流位置ｐｄ１から最上流位置ｐｕ１までの画素の数に、画素密度の比率を乗じることによって、印刷画素の数で表された長さＯＨ１を取得できる。この画素密度の比率は、予め決められている。
【００３３】
図３（Ａ）、図３（Ｂ）の例では、印刷可能範囲ｐの長さＳＺｐは、画像範囲Ｒ１の長さＯＨ１よりも大きい。このように、印刷可能範囲の長さが画像範囲の長さよりも大きい場合（図２：Ｓ１３０：Ｙｅｓ）、Ｓ１４０で、プロセッサ１１０は、対象画像を用紙の上流側の端に近い位置に移動させ、移動済の対象画像を表す画像データを生成する。生成される画像データは、用紙上に印刷される画像である印刷画像を表すデータである（印刷画像データと呼ぶ）。
【００３４】
図３（Ｂ）には、印刷画像データによって表される印刷画像の例が示されている。この印刷画像ｉ１ｐは、図３（Ａ）の第１入力画像ｉ１が処理される場合の例を示しており、背景ＢＧａと対象画像Ｏ１とを表している。図中の右部には、図３（Ａ）の右部と同じグラフが示されている。図中の上流側余白距離ｄｕは、対象画像Ｏ１の上流側の余白部分の大きさを示しており、具体的には、対象画像Ｏ１の上流側の端ｐｕ１と、用紙ＰＰの上流側の端ＰＰｕと、の間の搬送方向Ｄ１の距離である。下流側余白距離ｄｄは、対象画像Ｏ１の下流側の余白部分の大きさを示しており、具体的には、対象画像Ｏ１の下流側の端ｐｄ１と、用紙ＰＰの下流側の端ＰＰｄと、の間の搬送方向Ｄ１の距離である。図示するように、上流側余白距離ｄｕは、下流側余白距離ｄｄよりも、小さい。このように、対象画像Ｏ１の位置は、用紙ＰＰの上流側の端ＰＰｕに近い位置に決定される。なお、本実施例では、上流側余白距離ｄｕは、予め決められている。すなわち、対象画像Ｏ１は、用紙ＰＰの上流側の端ＰＰｕから上流側余白距離ｄｕだけ離れた位置に、配置される。用紙ＰＰに対する印刷可能範囲ｐの位置、すなわち、用紙ＰＰ上の位置と印刷可能範囲ｐ内の位置との対応関係は、予め決められている。プロセッサ１１０は、印刷可能範囲ｐ内における用紙ＰＰの端ＰＰｕから距離ｄｕだけ離れた位置を、上記の対応関係に基づいて、特定できる。
【００３５】
プロセッサ１１０は、搬送方向Ｄ１の位置が変更された対象画像を表す印刷画像データを、入力画像データを調整することによって、生成する。例えば、対象画像を表す複数の画素ラインが用紙の上流側の端（ここでは、用紙ＰＰの端ＰＰｕ）から距離ｄｕだけ離れた位置に配置されるように入力画像データを調整することによって、印刷画像データが生成される。印刷画像データの生成が完了した場合、処理は、Ｓ１６０へ移行する。
【００３６】
印刷可能範囲の搬送方向Ｄ１の長さが、画像範囲の搬送方向Ｄ１の長さ以下である場合（図２：Ｓ１３０：Ｎｏ）、Ｓ１５０で、プロセッサ１１０は、対象画像を印刷可能範囲内に収まるように縮小し、縮小済の対象画像を印刷可能範囲内に配置し、そして、配置済の対象画像を表す印刷画像データを生成する。この印刷画像データも、入力画像データを調整することによって、生成される。そして、処理は、Ｓ１６０へ移行する。
【００３７】
Ｓ１６０では、プロセッサ１１０は、補助画像を印刷画像に追加するための処理である補助画像処理を実行する。図５は、補助画像処理の例を示すフローチャートである。Ｓ３００では、プロセッサ１１０は、用紙のうちの対象画像の下流側の余白部分の長さを特定し、特定された長さが閾値よりも大きいか否かを判断する。図３（Ｂ）の例では、下流側余白距離ｄｄが、予め決められた閾値ｄｔｈと比較される。なお、長さｄｄは、用紙ＰＰ上の位置と印刷可能範囲ｐ内の位置との対応関係に基づいて、特定される。閾値ｄｔｈは、閾値ｄｔｈと同程度の長さの用紙に画像を印刷できる範囲内で、小さい値に予め決定されている。用紙の搬送方向Ｄ１の長さが短い場合には、搬送機構４２０が用紙を適切に搬送できない等の不具合が生じる。
【００３８】
なお、上述したように、本実施例では、上流側余白距離ｄｕは、下流側余白距離ｄｄよりも小さい。従って、下流側余白距離ｄｄは、用紙ＰＰに対象画像Ｏ１が印刷される場合の用紙ＰＰの搬送方向Ｄ１の上流側の端ＰＰｕと下流側の端ＰＰｄとのうちの対象画像Ｏ１から遠い方の端ＰＰｄ側の余白部分の長さを示している。
【００３９】
余白部分の長さが閾値ｄｔｈよりも大きい場合（図５：Ｓ３００：Ｙｅｓ）、Ｓ３１０で、プロセッサ１１０は、印刷画像データを編集することによって、印刷画像に、補助画像を追加する。図３（Ｃ）は、補助画像の例を示す説明図である。補助画像３００は、垂直方向Ｄ２に延びる細長い画像である。本実施例では、補助画像３００は、切り取り線３１０と、向き画像３２０と、説明文３３０とを、含んでいる。
【００４０】
切り取り線３１０は、用紙のうちの対象画像が印刷された部分を切り取るための切り取り線である。切り取り線３１０は、垂直方向Ｄ２に平行な線（例えば、点線または実線）で表されている。
【００４１】
向き画像３２０は、特定の方向を向いた矢印を表している。向き画像３２０の向きは、用紙のうちの対象画像が印刷された部分を切り取った残りの部分である残余部分用紙（例えば、切り取り線３１０よりも搬送方向Ｄ１側の部分）を、搬送機構４２０に供給する場合の向きを示している。この向き画像３２０は、印刷画像中では、搬送方向Ｄ１を向いている。そして、後述するように、残余部分用紙を搬送機構４２０に供給する場合の残余部分用紙の適切な向きは、向き画像３２０が搬送方向Ｄ１を向く向きである。向き画像３２０のうちの向きを示す先端部（すなわち、やじりの部分）は、切り取り線３１０よりも搬送方向Ｄ１側に、配置されている。この理由は、用紙が切り取り線３１０で切断された場合に、切り取り線３１０よりも搬送方向Ｄ１側の残余部分用紙のみを観察することによって、向き画像３２０の向きを特定できるようにするためである。
【００４２】
説明文３３０は、残余部分用紙を、矢印（ここでは、向き画像３２０）の向きに搬送機構４２０に供給すべきこと、すなわち、残余部分用紙の切り取り線３１０側の端とは反対側の端から搬送機構４２０に供給すべきことを説明している。
【００４３】
プロセッサ１１０は、このような補助画像３００を、印刷画像中の対象画像よりも下流側に配置する。図３（Ｂ）の例では、印刷画像ｉ１ｐ中の対象画像Ｏ１の最下流位置ｐｄ１から搬送方向Ｄ１へ所定距離だけ離れた位置に、補助画像３００ａが追加されている（補助画像３００ａは、図３（Ｃ）の補助画像３００と同じである）。
【００４４】
図５のＳ３２０では、プロセッサ１１０は、新しい基準位置情報１３４を不揮発性記憶装置１３０に格納する。そして、プロセッサ１１０は、図５の処理を終了する。本実施例では、基準位置情報１３４は、対象画像のサイズに関連する情報である。具体的には、印刷可能範囲の下流側の端と、切り取り線３１０と、の間の搬送方向Ｄ１の距離が、基準位置情報として用いられる。図３（Ｂ）の例では、印刷可能範囲ｐの下流側の端ｐｄｅと、補助画像３００ａの切り取り線３１０と、の間の搬送方向Ｄ１の距離ＳＺ１を表す情報が、基準位置情報１３４として用いられる。距離ＳＺ１は、対象画像Ｏ１の搬送方向Ｄ１のサイズが大きいほど、小さくなる。従って、距離ＳＺ１、すなわち、基準位置情報１３４は、対象画像Ｏ１のサイズに関連していると言える。
【００４５】
余白部分の長さが閾値ｄｔｈ以下である場合（図５：Ｓ３００：Ｎｏ）、Ｓ３３０で、プロセッサ１１０は、不揮発性記憶装置１３０から基準位置情報１３４を削除する。補助画像３００は、印刷画像に追加されない。そして、プロセッサ１１０は、図５の処理を終了する。
【００４６】
図５の処理、すなわち、図２のＳ１６０が終了した場合、Ｓ１７０で、プロセッサ１１０は、印刷画像データを用いて、印刷制御データを生成する。印刷制御データは、プリンタ４００（ここでは、制御部４３０）によって解釈可能なデータ形式で表されたデータである。本実施例では、印刷制御データを生成する処理は、解像度変換処理と、色変換処理と、ハーフトーン処理と、を含んでいる。
【００４７】
解像度変換処理では、印刷画像データの画素密度が、印刷画素の画素密度（すなわち、印刷解像度）に変換される。色変換処理では、印刷解像度のビットマップデータの色成分が、印刷に利用可能な色材の種類に対応する色成分（ここでは、ＣＭＹＫ）に変換される。色変換処理は、例えば、変換前の階調値と変換後の階調値との対応関係を予め定めるルックアップテーブルを用いて行われる。このようなルックアップテーブルは、プリンタ４００（図１）の製造者によって、プログラム１３２と共に提供される（図示省略）。
【００４８】
ハーフトーン処理は、色変換済のデータを用いて、画素ごと、かつ、インクの種類ごとに、ドットの状態を表すドットデータを生成する処理である。本実施例では、ハーフトーン処理は、誤差マトリクスを利用した誤差拡散処理を用いて実行される。これに代えて、ディザマトリクスを用いるハーフトーン処理が採用されてもよい。ドットの状態は、例えば、ドットの有無を含む。また、ドットの状態は、ドットの有無と、ドットのサイズと、を含んでもよい。
【００４９】
プロセッサ１１０は、ハーフトーン処理によって生成されたドットデータを用いて、印刷制御データを生成する。プロセッサ１１０は、例えば、印刷に用いられる順にドットデータを並べるとともに、各種のプリンタ制御コードや、データ識別コードを付加して印刷制御データを生成する。
【００５０】
Ｓ１８０では、プロセッサ１１０は、印刷制御データを、プリンタ４００に供給する。Ｓ１９０では、プリンタ４００の制御部４３０は、受信した印刷制御データに従って、用紙上に画像を印刷する。以上により、用紙ＰＰ（図３（Ｂ））に印刷画像ｉ１ｐ（すなわち、対象画像Ｏ１と補助画像３００ａ）が印刷される。そして、図２の処理が終了する。
【００５１】
ユーザは、印刷済の用紙ＰＰ（図３（Ｂ））を切り取り線３１０で切断することによって、用紙ＰＰのうち対象画像Ｏ１が印刷された部分を取得できる。また、用紙ＰＰの残りの部分（残余部分用紙ＰＰ１とも呼ぶ）を、別の画像の印刷に用いることができる。以下、次回の印刷時に、残余部分用紙ＰＰ１が利用されることとする。
【００５２】
ユーザは、はさみやカッターナイフなどの道具を用いて、手作業で、用紙ＰＰを切断し得る。この際、実際に切断された線は、切り取り線３１０から外れ得る。図３（Ｅ）には、残余部分用紙ＰＰ１の例が示されている。残余部分用紙ＰＰ１の補助画像３００ａ側の端ＰＰ１ｕの形状は、直線状ではなく、凹凸状（すなわち、ジグザグ）であり得る。残余部分用紙ＰＰ１の反対側の端ＰＰｄは、元の用紙ＰＰ（図３（Ｂ））の端ＰＰｄと同じである。
【００５３】
用紙の凹凸状の端が用紙の搬送方向Ｄ１側の端である場合、凹凸状の端がローラ（例えば、ローラ４２４、４２５、４２６）に接触することによって、ローラから、凹凸状の端に、力が印加される。ここで、凹凸状の端のうちの一部分は他の部分よりも先にローラに接触するので、ローラから用紙への力の印加が不均等になる。この結果、搬送機構４２０内で、用紙の向きや位置がずれる場合がある。このような不具合を抑制するためには、用紙の搬送方向Ｄ１側の端が、凹凸状の端ではなく、搬送方向Ｄ１に垂直な直線状の端であることが好ましい。すなわち、搬送機構４２０による用紙の搬送は、凹凸状の端からではなく、搬送方向Ｄ１に垂直な直線状の端から行われることが好ましい。
【００５４】
図３（Ｅ）の例では、残余部分用紙ＰＰ１の搬送方向Ｄ１側の端が、補助画像３００ａ側の端ＰＰ１ｕではなく、反対側の直線状の端ＰＰｄであることが好ましい。残余部分用紙ＰＰ１に印刷された補助画像３００ａに含まれる向き画像３２０の向きが、搬送機構４２０の搬送方向Ｄ１を向く場合、残余部分用紙ＰＰ１の搬送方向Ｄ１側の端が直線状の端ＰＰｄとなる。従って、ユーザは、残余部分用紙ＰＰ１の補助画像３００ａの向き画像３２０の向きを搬送機構４２０の搬送方向Ｄ１に合わせることによって、残余部分用紙ＰＰ１が凹凸状の端ＰＰ１ｕから搬送されることに起因する不具合を抑制できる。以下、残余部分用紙ＰＰ１に別の画像を印刷する場合の処理について、説明する。
【００５５】
ユーザは、残余部分用紙ＰＰ１（図３（Ｅ））を、搬送機構４２０（図１）に供給する（具体的には、残余部分用紙ＰＰ１を給紙トレイ４２１に載せ置く）。この際、残余部分用紙ＰＰ１の向き画像３２０の向きが、搬送方向Ｄ１を向くように、残余部分用紙ＰＰ１の向きが、調整される。そして、ユーザは、アプリケーションに対して印刷指示を入力する。
【００５６】
図２のＳ１００では、プロセッサ１１０は、入力画像データを取得する。図３（Ｄ）は、入力画像データによって表される入力画像の例である第２入力画像ｉ２を示している。図３（Ｄ）の右部には、図３（Ａ）の右部と同様のグラフが示されている。第２入力画像ｉ２は、白い背景ＢＧ２とオブジェクトＯ２を表している。図２のＳ１１０では、プロセッサ１１０は、第２入力画像ｉ２の対象画像（ここでは、オブジェクトＯ２）の画像範囲Ｒ２を特定する。特定される画像範囲Ｒ２は、オブジェクトＯ２の下流側の端の位置である最下流位置ｐｄ２から、オブジェクトＯ２の上流側の端の位置である最上流位置ｐｕ２までの、範囲である。
【００５７】
Ｓ１２０では、プロセッサ１１０は、不揮発性記憶装置１３０から、前回の印刷時に格納された基準位置情報１３４を取得する。この段階では、基準位置情報１３４は、図３（Ｂ）の距離ＳＺ１を表している。
【００５８】
Ｓ１３０では、プロセッサ１１０は、基準位置情報１３４を用いて、印刷可能範囲の長さ、すなわち、残余部分用紙の印刷可能範囲の長さを特定する。本実施例では、基準位置情報１３４によって表される距離（例えば、図３（Ｂ）の距離ＳＺ１）を、印刷可能範囲の長さとして用いる。図３（Ｅ）には、残余部分用紙ＰＰ１上の印刷可能範囲ｐ１が示されている。印刷可能範囲ｐ１の下流側の端ｐｄｅは、図３（Ｂ）の印刷可能範囲ｐの下流側の端ｐｄｅと、同じである。印刷可能範囲ｐ１の上流側の端ｐ１ｕの位置は、印刷可能範囲ｐ１の下流側の端ｐｄｅから距離ＳＺ１だけ上流側に離れた位置であり、残余部分用紙ＰＰ１に印刷された補助画像３００ａの切り取り線３１０の位置と同じである。
【００５９】
プロセッサ１１０は、基準位置情報１３４を用いて特定された印刷可能範囲ｐ１の長さＳＺ１が、対象画像Ｏ２の画像範囲Ｒ２の長さＯＨ２（図３（Ｄ））よりも大きいか否かを判断する。ここでは、ＳＺ１＞ＯＨ２であることとする（Ｓ１３０：Ｙｅｓ）。
【００６０】
Ｓ１４０では、プロセッサ１１０は、対象画像Ｏ２を残余部分用紙ＰＰ１の上流側の端ＰＰ１ｕに近い位置に配置し、配置された対象画像Ｏ２を含む印刷画像ｉ２ｐ表す印刷画像データを生成する。図３（Ｅ）には、印刷画像ｉ２ｐの例が示されている。この印刷画像ｉ２ｐは、図３（Ｄ）の第２入力画像ｉ２が処理される場合の例を示しており、背景ＢＧｂと対象画像Ｏ２とを表している。図中の右部には、図３（Ｄ）の右部と同じグラフが示されている。図３（Ｂ）の例と同様に、図３（Ｅ）の例では、対象画像Ｏ２の位置は、残余部分用紙ＰＰ１の上流側の端ＰＰ１ｕから上流側余白距離ｄｕだけ離れた位置に、決定される。ここで、残余部分用紙ＰＰ１の端ＰＰ１ｕの位置としては、補助画像３００ａの切り取り線３１０の位置が用いられる。プロセッサ１１０は、基準位置情報１３４を用いて端ＰＰ１ｕの位置を特定し、特定された端ＰＰ１ｕの位置を用いて、対象画像Ｏ２の位置を決定する。なお、実際の残余部分用紙ＰＰ１の端ＰＰ１ｕの形状は、切り取り線３１０に対して、ジグザグであり得る。
【００６１】
図３（Ｅ）中の下流側余白距離ｄｄ１は、対象画像Ｏ２の下流側の余白部分の大きさを示しており、具体的には、対象画像Ｏ２の下流側の端ｐｄ２と、残余部分用紙ＰＰ１の下流側の端ＰＰｄと、の間の搬送方向Ｄ１の距離である。図示するように、上流側余白距離ｄｕは、下流側余白距離ｄｄ１よりも、小さい。プロセッサ１１０は、このような対象画像Ｏ２を含む印刷画像ｉ２ｐを表す印刷画像データを、入力画像データを編集することによって、生成する。
【００６２】
Ｓ１６０では、図３（Ｂ）の例と同様に、プロセッサ１１０は、図５の手順に従って、用紙のうちの対象画像の下流側の余白部分の長さが閾値よりも大きい場合に、補助画像３００を印刷画像に追加する。図３（Ｅ）の例では、下流側余白距離ｄｄ１が閾値ｄｔｈよりも大きいこととする。従って、対象画像Ｏ２の下流側に、補助画像３００ｂが追加される（補助画像３００ｂは、図３（Ｃ）の補助画像３００と同じである）。
【００６３】
図５のＳ３２０では、プロセッサ１１０は、新しい基準位置情報１３４を不揮発性記憶装置１３０に格納する。図３（Ｂ）の例と同様に、図３（Ｅ）の例では、印刷可能範囲ｐ１の下流側の端ｐｄｅと、補助画像３００ｂの切り取り線３１０と、の間の搬送方向Ｄ１の距離ＳＺ２を表す情報が、新しい基準位置情報１３４として用いられる。
【００６４】
図２のＳ１７０〜Ｓ１８０では、印刷画像ｉ２ｐ（図３（Ｅ））が、残余部分用紙ＰＰ１に印刷される。ユーザは、残余部分用紙ＰＰ１を補助画像３００ｂの切り取り線３１０で切断することによって、残余部分用紙ＰＰ１のうちの対象画像Ｏ２が印刷された部分を取得できる。また、残余部分用紙ＰＰ１の残りの部分（残余部分用紙ＰＰ２とも呼ぶ）を、別の画像の印刷に用いることができる。以下、残余部分用紙ＰＰ１を、第１残余部分用紙ＰＰ１とも呼び、残余部分用紙ＰＰ２を、第２残余部分用紙ＰＰ２とも呼ぶ。そして、次回の印刷時に、第２残余部分用紙ＰＰ２が利用されることとする。
【００６５】
図３（Ｇ）は、残余部分用紙ＰＰ２の例を示している。補助画像３００ｂ側の端ＰＰ２ｕの形状は、直線状ではなく、凹凸状であり得る。反対側の端ＰＰｄは、図３（Ｂ）、図３（Ｅ）の用紙ＰＰ、ＰＰ１の端ＰＰｄと同じであり、その形状は、直線状である。残余部分用紙ＰＰ２を搬送機構４２０（図１）に供給する際に、補助画像３００ｂの向き画像３２０の向きを搬送方向Ｄ１に合わせることによって、残余部分用紙ＰＰ２の搬送方向Ｄ１側の端が、直線状の端ＰＰｄとなる。これにより、残余部分用紙ＰＰ２の凹凸状の端ＰＰ２ｕが搬送方向Ｄ１側の端であることに起因する不具合を抑制できる。
【００６６】
残余部分用紙ＰＰ２を用いる印刷は、残余部分用紙ＰＰ１を用いる印刷と同様に進行する。例えば、ユーザは、残余部分用紙ＰＰ２（図３（Ｇ））を、搬送機構４２０（図１）に供給する（具体的には、残余部分用紙ＰＰ２を給紙トレイ４２１に載せ置く）。この際、残余部分用紙ＰＰ２の向き画像３２０の向きが、搬送方向Ｄ１を向くように、残余部分用紙ＰＰ２の向きが、調整される。そして、ユーザは、アプリケーションに対して印刷指示を入力する。ここで、図３（Ｆ）に示すオブジェクトＯ３と背景ＢＧ３とを含む第３入力画像ｉ３を表す入力画像データが用いられると仮定する。図３（Ｆ）の右部には、図３（Ａ）の右部と同様のグラフが示されている。
【００６７】
図２のＳ１１０では、第３入力画像ｉ３の対象画像（ここでは、オブジェクトＯ３）の画像範囲Ｒ３が、特定される。画像範囲Ｒ３は、オブジェクトＯ３の下流側の端の位置である最下流位置ｐｄ３から、オブジェクトＯ３の上流側の端の位置である最上流位置ｐｕ３までの、範囲である。Ｓ１２０では、不揮発性記憶装置１３０から、前回の印刷時に格納された基準位置情報１３４が取得される。この段階では、基準位置情報１３４は、図３（Ｅ）の距離ＳＺ２を表している。
【００６８】
Ｓ１３０では、基準位置情報１３４によって表される距離（ここでは、距離ＳＺ２）が、印刷可能範囲の長さとして用いられる。図３（Ｇ）には、残余部分用紙ＰＰ２上の印刷可能範囲ｐ２が示されている。図３（Ｅ）の印刷可能範囲ｐ１と同様に、印刷可能範囲ｐ２の下流側の端ｐｄｅは、図３（Ｂ）の印刷可能範囲ｐの下流側の端ｐｄｅと、同じである。印刷可能範囲ｐ２の上流側の端ｐ２ｕの位置は、印刷可能範囲ｐ２の下流側の端ｐｄｅから距離ＳＺ２だけ上流側に離れた位置であり、残余部分用紙ＰＰ２に印刷された補助画像３００ｂの切り取り線３１０の位置と同じである。そして、残余部分用紙ＰＰ２上の印刷可能範囲ｐ２の長さＳＺ２が、対象画像Ｏ３の画像範囲Ｒ３の長さＯＨ３（図３（Ｆ））よりも大きいか否かが、判断される。ここでは、ＳＺ２＞ＯＨ３であることとする（Ｓ１３０：Ｙｅｓ）。
【００６９】
Ｓ１４０では、プロセッサ１１０は、対象画像Ｏ３を残余部分用紙ＰＰ２の上流側の端ＰＰ２ｕに近い位置に配置し、配置された対象画像Ｏ３を含む印刷画像ｉ３ｐ表す画像データを生成する。図３（Ｇ）には、印刷画像ｉ３ｐの例が示されている。この印刷画像ｉ３ｐは、図３（Ｆ）の第３入力画像ｉ３が処理される場合の例を示しており、背景ＢＧｃと対象画像Ｏ３とを表している。図中の右部には、図３（Ｆ）の右部と同じグラフが示されている。図３（Ｅ）の例と同様に、図３（Ｆ）の例では、対象画像Ｏ３の位置は、残余部分用紙ＰＰ２の上流側の端ＰＰ２ｕから上流側余白距離ｄｕだけ離れた位置に、決定される。ここで、残余部分用紙ＰＰ２の端ＰＰ２ｕの位置としては、補助画像３００ｂの切り取り線３１０の位置が用いられる。プロセッサ１１０は、基準位置情報１３４を用いて端ＰＰ２ｕの位置を特定し、特定された端ＰＰ２ｕの位置を用いて、対象画像Ｏ３の位置を決定する。
【００７０】
図中の下流側余白距離ｄｄ２は、対象画像Ｏ３の下流側の余白部分の大きさを示しており、具体的には、対象画像Ｏ３の下流側の端ｐｄ３と、残余部分用紙ＰＰ２の下流側の端ＰＰｄと、の間の搬送方向Ｄ１の距離である。図示するように、上流側余白距離ｄｕは、下流側余白距離ｄｄ２よりも、小さい。プロセッサ１１０は、このような対象画像Ｏ３を含む印刷画像ｉ３ｐを表す印刷画像データを、入力画像データを調整することによって、生成する。
【００７１】
Ｓ１６０では、図３（Ｂ）の例と同様に、プロセッサ１１０は、図５の手順に従って、用紙のうちの対象画像の下流側の余白部分の長さが閾値よりも大きいか否かを判断する。図３（Ｇ）の例では、下流側余白距離ｄｄ２が閾値ｄｔｈ以下であることとする。この場合（図５：Ｓ３００：Ｎｏ）、プロセッサ１１０は、Ｓ３３０で基準位置情報１３４を不揮発性記憶装置１３０から削除し、図５の処理（すなわち、図２のＳ１６０）を終了する。補助画像は、追加されない。図２のＳ１７０〜Ｓ１８０では、印刷画像ｉ３ｐ（図３（Ｇ））が、残余部分用紙ＰＰ２に印刷される。
【００７２】
以上のように、切断されていない用紙ＰＰ（図３（Ｂ））に対象画像Ｏ１が印刷され得る。この場合、プロセッサ１１０は、図２のＳ１００で、対象画像Ｏ１を表す入力画像データを取得する。そして、プロセッサ１１０は、Ｓ１４０、Ｓ１６０−Ｓ１８０で、入力画像データに従って、プリンタ４００に、対象画像Ｏ１を用紙ＰＰ上に印刷させる。
【００７３】
そして、対象画像Ｏ１が印刷された用紙ＰＰが搬送機構４２０から排出された後に、用紙ＰＰのうちの対象画像Ｏ１が印刷された部分が切り取られた残りの部分である残余部分用紙ＰＰ１が、別の画像Ｏ２（図３（Ｄ））の印刷のために、搬送機構４２０によって印刷機構４１０に供給され得る。ここで、残余部分用紙ＰＰ１の搬送方向Ｄ１の長さは、元の用紙ＰＰの搬送方向Ｄ１の長さよりも、短い。また、残余部分用紙ＰＰ１（図３（Ｅ））を搬送機構４２０に供給する際に、残余部分用紙ＰＰ１の切り取られた端ＰＰ１ｕとは反対側の未切断の端ＰＰｄを搬送方向Ｄ１側（すなわち、下流側）に向けることによって、凹凸状の端ＰＰ１ｕに起因する不具合を抑制できる。
【００７４】
残余部分用紙ＰＰ１に対象画像Ｏ２を印刷する際、プロセッサ１１０は、図２のＳ１００で、対象画像Ｏ２を表す入力画像データを取得する。そして、プロセッサ１１０は、Ｓ１２０では、第１残余部分用紙ＰＰ１に対象画像Ｏ２を印刷する際の基準となる印刷基準位置を特定するための基準位置情報１３４を取得する。ここで、印刷基準位置は、例えば、第１残余部分用紙ＰＰ１（図３（Ｅ））の切断された端ＰＰ１ｕの位置である。本実施例では、基準位置情報１３４は、用紙に印刷された切り取り線３１０の位置を示している。通常は、切り取り線３１０に沿って用紙が切断されるので、基準位置情報１３４は、残余部分用紙の切断された端の位置を示している、と言える。
【００７５】
そして、プロセッサ１１０は、図２のＳ１４０で、基準位置情報１３４を用いて、第１残余部分用紙ＰＰ１上の対象画像Ｏ２の位置を決定し、Ｓ１６０〜Ｓ１８０で、プリンタ４００に、対象画像Ｏ２を第１残余部分用紙ＰＰ１上に印刷させる。ここで、図３（Ｅ）で説明したように、第１残余部分用紙ＰＰ１の上流側の端ＰＰ１ｕと対象画像Ｏ２の上流側の端ｐｕ２との間の搬送方向Ｄ１の距離ｄｕが、第１残余部分用紙ＰＰ１の下流側の端ＰＰｄと対象画像Ｏ２の下流側の端の端ｐｄ２との間の搬送方向Ｄ１の距離ｄｄ１よりも短くなるような位置に、対象画像Ｏ２が印刷される。従って、第１残余部分用紙ＰＰ１（図３（Ｅ））の下流側（すなわち、未切断の端ＰＰｄ側）の部分に、余白が残る。この結果、第１残余部分用紙ＰＰ１から対象画像Ｏ２が印刷された部分を切り取る場合に、未切断の端ＰＰｄを含む余白部分である第２残余部分用紙ＰＰ２を得ることができる（図３（Ｇ））。この第２残余部分用紙ＰＰ２を更に印刷のために搬送機構４２０に供給する際に、第２残余部分用紙ＰＰ２のうちの未切断の端ＰＰｄを下流側に向けることによって、第２残余部分用紙ＰＰ２の凹凸状の端ＰＰ２ｕに起因する不具合を抑制できる。
【００７６】
また、用紙ＰＰに対象画像Ｏ１を印刷する場合、プロセッサ１１０は、図５のＳ３２０で、対象画像Ｏ１（図３（Ｂ））のサイズに関連する基準位置情報１３４（具体的には、距離ＳＺ１を表す情報）を、不揮発性記憶装置１３０に格納する。そして、プロセッサ１１０は、第１残余部分用紙ＰＰ１に次の対象画像Ｏ２を印刷する際には、図２のＳ１４０で説明したように、この基準位置情報１３４を用いて、残余部分用紙ＰＰ１上の対象画像Ｏ２の位置を決定する。従って、対象画像Ｏ２を、適切に、残余部分用紙ＰＰ１の上流側の部分に印刷できる。
【００７７】
また、図５のＳ３００で説明したように、プロセッサ１１０は、用紙ＰＰに対象画像Ｏ１を印刷する場合、用紙ＰＰのうちの対象画像Ｏ１の下流側の余白部分の長さｄｄを、閾値ｄｔｈと比較する。そして、余白部分の長さｄｄが閾値ｄｔｈよりも大きい場合（Ｓ３００：Ｙｅｓ）、プロセッサ１１０は、Ｓ３１０で、印刷画像ｉ１ｐに補助画像３００ａを追加する。図３（Ｃ）で説明したように、補助画像３００ａは、残余部分用紙ＰＰ１を搬送機構４２０に供給する場合の残余部分用紙ＰＰ１の向きを示す向き画像３２０と、用紙ＰＰのうちの対象画像Ｏ１が印刷された部分を切り取るための切り取り線３１０と、を含んでいる。このような補助画像３００ａが、用紙ＰＰに印刷される。従って、ユーザは、残余部分用紙ＰＰ１を用いる印刷を、容易に、行うことができる。
【００７８】
ここで、図３（Ｂ）で説明したように、補助画像３００ａは、対象画像Ｏ１よりも、用紙ＰＰの上流側の端ＰＰｕと下流側の端ＰＰｄとのうちの対象画像Ｏ１から遠い方の端ＰＰｄ側に、配置される。このように、用紙ＰＰの大きい余白と対象画像Ｏ１との間に補助画像３００ａが印刷されるので、対象画像Ｏ１の印刷と、残余部分用紙ＰＰ１を用いる対象画像Ｏ２の印刷とを、適切に実行できる。
【００７９】
また、補助画像３００ａの向き画像３２０は、残余部分用紙ＰＰ１の搬送方向Ｄ１の下流側が、元の用紙ＰＰの下流側と同じとなる向きを示している。すなわち、残余部分用紙ＰＰ１を搬送機構４２０に供給する際に向き画像３２０が搬送方向Ｄ１を向くように残余部分用紙ＰＰ１の向きが調整される場合に、用紙ＰＰの下流側の端ＰＰｄが、そのまま、残余部分用紙ＰＰ１の下流側の端ＰＰｄとして利用される。このように、対象画像Ｏ２を印刷する場合の残余部分用紙ＰＰ１の向きが、対象画像Ｏ１を印刷する場合の用紙ＰＰの向きと同じであるので、ユーザは、残余部分用紙ＰＰ１を搬送機構４２０に供給する際に、残余部分用紙ＰＰ１の向きを、容易に、適切な向きに合わせることができる。
【００８０】
また、図５のＳ３００では、プロセッサ１１０は、用紙の下流側の余白部分の長さと、閾値ｄｔｈとを比較する。新しい用紙ＰＰ（図３（Ｂ））に対象画像Ｏ１が印刷される場合、下流側の余白部分の長さｄｄは、用紙ＰＰの上流側の端ＰＰｕと下流側の端ＰＰｄとのうちの対象画像Ｏ１から遠い方の端ＰＰｄ側の余白部分の長さである。そして、長さｄｄが閾値ｄｔｈよりも大きい場合に（Ｓ３００：Ｙｅｓ）、プロセッサ１１０は、Ｓ３１０で、印刷画像ｉ１ｐ（図３（Ｂ））に、補助画像３００ａを追加する。そして、長さｄｄが閾値ｄｔｈよりも小さい場合には（Ｓ３００：Ｎｏ）、補助画像３００ａは、追加されず、そして、印刷されない。このように、余白部分が小さい場合には、補助画像が印刷されないので、小さい残余部分用紙が印刷に利用されることが抑制される。そして、小さい残余部分用紙が印刷に利用されることに起因する不具合（例えば、紙詰まりなど）が抑制される。
【００８１】
また、図３（Ｃ）で説明したように、補助画像３００（すなわち、補助画像３００ａ（図３（Ｂ）））は、切り取り線３１０を含んでいる。従って、ユーザは、用紙ＰＰ（図３（Ｂ））のうちの対象画像Ｏ１が印刷された部分を、容易に、切り取ることができる。
【００８２】
Ｂ．変形例
（１）上記実施例の基準位置情報１３４によって表される距離ＳＺ１、ＳＺ２は、用紙ＰＰ、ＰＰ１上の印刷可能範囲ｐ、ｐ１の下流側の端ｐｄｅと、切り取り線３１０と、の間の搬送方向Ｄ１の距離を示している。ここで、用紙ＰＰ、ＰＰ１の下流側の端ＰＰｄに対する印刷可能範囲ｐ、ｐ１の下流側の端ｐｄｅの位置は、予め決められている。従って、距離ＳＺ１、ＳＺ２は、用紙ＰＰ、ＰＰ１の下流側の端ＰＰｄに対する切り取り線３１０の位置を示している、と言える。そして、通常は、用紙ＰＰ、ＰＰ１は、切り取り線３１０に沿って、切断される。従って、切り取り線３１０の位置は、用紙の切断された端の位置を示している。以上により、距離ＳＺ１、ＳＺ１、すなわち、基準位置情報１３４は、切り取り線３１０に沿って切断された後の残余部分用紙ＰＰ１、ＰＰ２の下流側の端ＰＰｄ（すなわち、切断されていない端）に対する、上流側の端ＰＰ１ｕ、ＰＰ２ｕ（すなわち、切断された端）の位置を示している、と言える。
【００８３】
なお、基準位置情報１３４によって表される印刷基準位置は、切り取り線３１０の位置（すなわち、切断された端の位置）の位置に代えて、残余部分用紙に対象画像を印刷する際の残余部分用紙上の対象画像の位置の基準となる任意の位置であってよい。例えば、基準位置情報１３４によって表される印刷基準位置は、残余部分用紙に対象画像を印刷する際の対象画像の上流側の端が配置されるべき位置を示しても良い。
【００８４】
いずれの場合も、通常は、残余部分用紙に対象画像を印刷する場合、残余部分用紙の下流側の端に対する対象画像の位置は、残余部分用紙のサイズに応じて変化する。具体的には、残余部分用紙の搬送方向Ｄ１の長さが短いほど、対象画像の位置は、残余部分用紙の下流側の端に近くなる。残余部分用紙の搬送方向Ｄ１の長さは、残余部分用紙から切り取られる部分（すなわち、過去の印刷で画像が印刷される部分）の搬送方向Ｄ１の長さが長いほど、短い。切り取られる部分の搬送方向Ｄ１の長さは、切り取られる部分に印刷される画像の搬送方向Ｄ１の大きさが大きいほど、長い。従って、残余部分用紙の下流側の端に対する対象画像の位置は、切り取られる部分に印刷される画像のサイズ（特に、搬送方向Ｄ１の大きさ）に応じて、変化する。残余部分用紙上の対象画像の位置の基準となる印刷基準位置も、通常は、残余部分用紙から切り取られる部分に印刷される画像のサイズに応じて、変化する。このように、印刷基準位置が画像のサイズに応じて変化する場合、印刷基準位置を表す基準位置情報１３４は画像のサイズに関連している、と言える。
【００８５】
なお、上記実施例では、プロセッサ１１０は、印刷時に、図５のＳ３２０で、残余部分用紙を用いる印刷（例えば、次回の印刷）のために基準位置情報１３４を不揮発性記憶装置１３０に格納する。そして、プロセッサ１１０は、残余部分用紙を用いる印刷時に、図２のＳ１２０で、不揮発性記憶装置１３０から基準位置情報１３４（例えば、前回の印刷時に格納された基準位置情報１３４）を取得している。基準位置情報１３４を取得する方法としては、上記の方法に代えて、他の任意の方法を採用可能である。例えば、プロセッサ１１０は、ユーザによって入力された基準位置情報１３４を、取得してもよい。この場合、ユーザは、例えば操作部１５０（図１）を操作することにより、基準位置情報１３４（例えば、残余部分用紙の搬送方向Ｄ１の長さ）を入力してもよい。また、搬送機構４２０による用紙の搬送経路の途中にスキャナが設けられていてもよい。そして、プロセッサ１１０は、印刷を開始する前に、搬送機構４２０に用紙を搬送させ、スキャナに用紙を読み取らせ、そして、スキャナによって読み取られた用紙を表す画像を解析することによって用紙の搬送方向Ｄ１の長さを特定してもよい。特定される用紙の搬送方向Ｄ１の長さは、基準位置情報１３４に対応する。
【００８６】
（２）図３（Ｃ）で説明した補助画像３００のうち、切り取り線３１０と向き画像３２０と説明文３３０との少なくとも１つを、省略してもよい。また、補助画像の印刷が省略されてもよい。ただし、切り取り線３１０を含む補助画像が印刷されることが好ましい。この場合、ユーザは、適切な位置で用紙を切断できる。従って、残余部分用紙を用いる場合に、適切な位置に画像を印刷できる。また、向き画像３２０を含む補助画像が印刷されることが好ましい。この場合、ユーザは、残余部分用紙を搬送機構４２０に供給する際に（例えば、残余部分用紙を給紙トレイ４２１に載せ置く際に）、残余部分用紙の向きを適切な向きに合わせることができる。従って、凹凸状の端から給紙されることに起因する不具合を抑制できる。なお、補助画像は、下流側の余白部分の長さに拘わらずに、印刷されてもよい。
【００８７】
（３）印刷される対象画像は、互いに離れた２個以上のオブジェクトを含んでもよい。一般的には、対象画像は、Ｎ個（Ｎは１以上の整数）のオブジェクトを含んでよい。いずれの場合も、図２のＳ１１０では、プロセッサ１１０は、Ｎ個のオブジェクトのうちの最も上流側の端と最も下流側の端とを特定すればよい。これらの端の位置を特定する方法としては、図４で説明した方法に代えて、他の種々の方法を採用可能である。例えば、垂直方向Ｄ２に延びる画素ライン毎に、白を含む所定の部分色範囲内の色とは異なる色を表す画素である非白画素の総数を算出してもよい。そして、非白画素の総数が閾値以上である画素ラインを、対象画像（すなわち、オブジェクト）を表す画素ラインとして扱い、非白画素の総数が閾値より少ない画素ラインを、対象画像を表さずに背景を表す画素ラインとして扱ってもよい。閾値としては、例えば、画素の総数が取り得る最大値よりも小さく、かつ、ゼロよりも大きな値に設定される（例えば、ゼロに近い値）。そして、対象画像を表す複数の画素ラインのうちの、最も上流側の画素ラインの位置と、最も下流側の画素ラインの位置とを、特定すればよい。
【００８８】
（４）対象画像と、用紙の上流側の端と下流側の端とのうちの対象画像に近い端と、の間の距離ｄｕ（図３（Ｂ）、図３（Ｅ）等）は、種々の値であってよい。縁有り印刷が行われる場合、距離ｄｕは、新しい用紙ＰＰ（図３（Ｂ））上の印刷可能範囲ｐの上流側の端ｐｕｅと用紙ＰＰの上流側の端ＰＰｕとの間の距離ｄｅ以上に設定されることが好ましい。ここで、距離ｄｕは、距離ｄｅと同じであってもよい。縁無し印刷が行われる場合、新しい用紙ＰＰに印刷される対象画像は、用紙ＰＰの端に接する位置に印刷されてもよい（すなわち、ｄｕ＝ゼロ）。いずれの場合も、図３（Ｅ）のように残余部分用紙に対象画像が印刷される場合、対象画像が凹凸状の端に重なることを抑制するためには、距離ｄｕは、ゼロよりも大きいことが好ましい。例えば、距離ｄｕは、３ｍｍ以上、１５ｍｍ以下の範囲に設定されてよい。このように、新しい用紙ＰＰに画像を印刷する場合と、残余部分用紙に画像を印刷する場合との間で、距離ｄｕが異なっていてもよい。
【００８９】
（５）印刷のための画像処理は、上記の実施例の処理に代えて、他の種々の処理を採用可能である。図３（Ｂ）に示すように、切断されていない新しい用紙ＰＰが印刷に用いられる場合、用紙ＰＰの下流側の端ＰＰｄと上流側の端ＰＰｕとの両方が、垂直方向Ｄ２に平行な直線状の端である。このような用紙ＰＰが印刷に用いられる場合、プロセッサ１１０は、図２のＳ１４０で、対象画像を、下流側の端ＰＰｄに近い位置に配置してもよい。この場合も、対象画像よりも上流側の余白部分は、直線状の端ＰＰｕを有するので、ユーザは、図３（Ｅ）の残余部分用紙ＰＰ１と同様の残余部分用紙を得ることができる。
【００９０】
いずれの場合も、新しい用紙ＰＰが印刷に用いられる場合には、プロセッサ１１０は、図５のＳ３００で、用紙ＰＰの上流側の端ＰＰｕと下流側の端ＰＰｄとのうちの対象画像から遠い方の端（以下、遠端と呼ぶ）側の余白部分の長さを、閾値ｄｔｈと比較することが好ましい。そして、Ｓ３１０では、プロセッサ１１０は、対象画像の遠端側に、補助画像を追加することが好ましい。Ｓ３２０では、プロセッサ１１０は、Ｓ３００で特定された余白部分の長さを表す情報を、基準位置情報１３４として不揮発性記憶装置１３０に格納すればよい。
【００９１】
新しい用紙ＰＰではなく残余部分用紙が印刷に用いられる場合には、図２のＳ１４０の処理と図５の処理とは、上記の実施例と同様に行われることが好ましい。すなわち、図２のＳ１４０では、対象画像は、残余部分用紙の上流側の端に近い位置に配置される。そして、図５の処理は、対象画像の下流側の余白部分の長さに基づいて、行われる。
【００９２】
なお、上記実施例では、用紙に補助画像が印刷された場合には、次の印刷で、その補助画像の切り取り線３１０での切断によって得られる残余部分用紙が用いられることとした。ただし、残余部分用紙を用いる印刷は、任意のタイミングで行われてよい。例えば、プロセッサ１１０は、ユーザからの残余部分用紙を用いる指示を受けた場合に、図２の印刷の処理を実行してもよい（この場合、基準位置情報１３４を用いて対象画像の位置が決定される）。残余部分用紙を用いる指示を受けていない場合には、プロセッサ１１０は、入力画像を、位置調整などをせずにそのまま、新しい用紙ＰＰに印刷する処理を実行してよい。
【００９３】
（６）入力画像データのデータ形式としては、ＲＧＢのビットマップ形式に代えて、他の任意の形式を採用可能である。例えば、ＣＭＫＹのビットマップ形式を採用してもよい。この場合、図４の処理では、ＣＭＹＫの４つの階調値の合計値の積算値が用いられる。積算値が閾値より小さい画素ラインは、対象画像を表さずに背景を表す画素ラインとして扱われ、積算値が閾値以上の画素ラインは、対象画素を表す画素ラインとして扱われる。閾値は、例えば、積算値の取り得る最大値よりも小さく、かつ、ゼロよりも大きな値に設定される（例えば、ゼロに近い値）。また、入力画像データがビットマップデータである場合に、入力画像データの画素密度が、印刷画素の画素密度と同じであってもよい。
【００９４】
また、入力画像データのデータ形式が、ＥＭＦ（Enhanced Meta File）形式のようにページ記述言語で記述されたデータ形式であってもよい。この場合、プロセッサ１１０は、図２のＳ１００とＳ１１０との間で入力画像データのラスタライズを行ってビットマップデータを生成し、ビットマップデータを用いてＳ１１０〜Ｓ１６０の処理を実行してもよい。これに代えて、プロセッサ１１０は、ページ記述言語のデータの解析と編集を行うことによって、Ｓ１１０〜Ｓ１５０の処理を実行してもよい。この場合、プロセッサ１１０は、Ｓ１７０で、ページ記述言語で記述された印刷画像データのラスタライズを行って、ビットマップ形式の印刷画像データを生成する。
【００９５】
また、Ｓ１１０〜Ｓ１６０の処理がビットマップデータを用いて行われる場合、ビットマップデータの画素密度は、印刷画素の画素密度と同じであってもよく、印刷画素の画素密度と異なっていてもよい。
【００９６】
（７）プリンタ４００の構成は、実施例の構成に代えて、他の種々の構成であってよい。例えば、印刷機構４１０は、レーザ式の印刷機構（例えば、感光ドラムと現像ローラを含む）であってもよい。搬送機構４２０は、折れ曲がった搬送経路に沿って用紙を搬送する装置であってもよい。搬送機構４２０の構成は、用紙に力を印加して用紙を移動させる部材（例えば、ローラ）を含む種々の構成であってよい。
【００９７】
（８）図１の画像処理装置１００は、パーソナルコンピュータとは異なる種類の装置（例えば、デジタルカメラ、スキャナ、スマートフォン）であってもよい。また、画像処理装置が、プリンタに組み込まれていてもよい。例えば、画像処理装置１００（図１）が、プリンタ４００に組み込まれてもよい。また、プリンタ４００の制御部４３０が、図２の処理を実行する画像処理装置として、動作してもよい。また、ネットワークを介して互いに通信可能な複数の装置（例えば、コンピュータ）が、画像処理装置による画像処理の機能を一部ずつ分担して、全体として、画像処理の機能を提供してもよい（これらの装置を備えるシステムが画像処理装置に対応する）。
【００９８】
上記各実施例において、ハードウェアによって実現されていた構成の一部をソフトウェアに置き換えるようにしてもよく、逆に、ソフトウェアによって実現されていた構成の一部あるいは全部をハードウェアに置き換えるようにしてもよい。例えば、図２のＳ１１０の機能を、専用のハードウェア回路によって実現してもよい。
【００９９】
また、本発明の機能の一部または全部がコンピュータプログラムで実現される場合には、そのプログラムは、コンピュータ読み取り可能な被記録媒体（例えば、一時的ではない被記録媒体）に格納された形で提供することができる。プログラムは、提供時と同一または異なる被記録媒体（コンピュータ読み取り可能な被記録媒体）に格納された状態で、使用され得る。「コンピュータ読み取り可能な被記録媒体」は、メモリーカードやＣＤ−ＲＯＭのような携帯型の被記録媒体に限らず、各種ＲＯＭ等のコンピュータ内の内部記憶装置や、ハードディスクドライブ等のコンピュータに接続されている外部記憶装置も含み得る。
【０１００】
以上、実施例、変形例に基づき本発明について説明してきたが、上記した発明の実施の形態は、本発明の理解を容易にするためのものであり、本発明を限定するものではない。本発明は、その趣旨並びに特許請求の範囲を逸脱することなく、変更、改良され得ると共に、本発明にはその等価物が含まれる。
【符号の説明】
【０１０１】
１００...画像処理装置、１１０...プロセッサ、１２０...揮発性記憶装置、１３０...不揮発性記憶装置、１３２...プログラム、１３４...基準位置情報、１４０...表示部、１５０...操作部、１９０...インタフェース、３００、３００ａ、３００ｂ...補助画像、３１０...切り取り線、３２０...向き画像、３３０...説明文、４００...プリンタ、４１０...印刷機構、４１２...印刷ヘッド、４１４...走査機構、４２０...搬送機構、４２１...給紙トレイ、４２２...プラテン、４２３...排紙トレイ、４２４...給紙ローラ、４２５、４２６...ローラ、４３０...制御部、Ｄ１...搬送方向、Ｄ２...垂直方向、ｉ１、ｉ２、ｉ３...入力画像、Ｏ１、Ｏ２、Ｏ３...対象画像（オブジェクト）、ＢＧ１、ＢＧ２、ＢＧ３...背景、ＢＧａ、ＢＧｂ、ＢＧｃ...背景、Ｒ１、Ｒ２、Ｒ３...画像範囲、ｐ、ｐ１、ｐ２...印刷可能範囲、ｉ１ｐ、ｉ２ｐ、ｉ３ｐ...印刷画像、ＰＰ...用紙、ＰＰ１...第１残余部分用紙、ＰＰ２...第２残余部分用紙、ＮＴ...ネットワーク
【図１】
2018085012.tif 000003
【図２】
2018085012.tif 000004
【図３】
2018085012.tif 000005
【図４】
2018085012.tif 000006
【図５】
2018085012.tif 000007